(57)【要約】【解決手段】  表示装置は、表示パネル100 と、表示パネル100 の周縁部６に沿って配置される複数の配線基板３とを備える。表示パネル100 は、複数の配線基板３のうち互いに隣接する第１配線基板および第２配線基板を電気的に接続するパネル側接続配線を有する。複数の配線基板３は、絶縁基板と、前記絶縁基板上に設けられた基板側配線群と、表示パネル100を駆動させるための一または二以上の駆動用回路素子８とをそれぞれ有する。前記基板側配線群は、駆動用回路素子８と電気的に接続された素子接続配線と、駆動用回路素子８と電気的に接続されていない素子非接続配線とから構成される。前記パネル側接続配線は、前記第１配線基板の前記素子接続配線と、前記第２配線基板の前記素子非接続配線とが電気的に接続されるように形成されている。【効果】  駆動用回路素子８へ入力される信号または駆動用回路素子８から出力される信号を別個の配線にて入力または出力することができる。【選択図】  図１
2004133428.tif 000002
【特許請求の範囲】
【請求項１】
　表示パネルと、前記表示パネルの周縁部に沿って配置される複数の配線基板とを備える表示装置であって、
前記表示パネルは、前記複数の配線基板のうち互いに隣接する第１配線基板および第２配線基板を電気的に接続するパネル側接続配線を有し、
前記複数の配線基板は、絶縁基板と、前記絶縁基板上に設けられた基板側配線群と、前記表示パネルを駆動させるための一または二以上の駆動用回路素子とをそれぞれ有しており、
前記基板側配線群は、前記駆動用回路素子と電気的に接続された素子接続配線と、前記駆動用回路素子と電気的に接続されていない素子非接続配線とから構成され、
前記パネル側接続配線は、前記第１配線基板の前記素子接続配線と、前記第２配線基板の前記素子非接続配線とが電気的に接続されるように形成されている、表示装置。
【請求項２】
前記複数の配線基板は、それぞれの前記基板側配線群が同一の配線パターンを有する、請求項１に記載の表示装置。
【請求項３】
前記基板側配線群を構成する複数の配線は、それぞれ互いに交差することなく前記絶縁基板上に設けられ、
前記素子非接続配線は、平面視において略Ｕ字状をなして、両端部が前記絶縁基板の周縁部に形成され、
前記素子接続配線の少なくとも一方端部は、前記絶縁基板の前記周縁部であって、かつ前記素子非接続配線の両端部よりも内側または外側に形成され、あるいは前記素子接続配線は、複数の前記素子非接続配線に挟まれて形成されている、請求項２に記載の表示装置。
【請求項４】
　少なくとも一方端部側の前記素子非接続配線は、前記一方端部が他方端部から離反する方向に、平面視においてさらに略Ｕ字状をなしている、請求項３に記載の表示装置。
【請求項５】
前記複数の配線基板が有する駆動用回路素子の総数をｎ個（但し、ｎは２以上の自然数である。）とすると、前記複数の配線基板のそれぞれは、前記基板側配線群を構成し、信号の伝送に関与する配線の数がｎ組またはｎ＋１組である、請求項１から４のいずれか１項に記載の表示装置。
【請求項６】
前記配線基板は、前記駆動用回路素子と電気的に接続された基板側予備配線をさらに有し、
前記表示パネルは、ゲート配線と、前記ゲート配線と交差するソース配線と、前記ゲート配線および前記ソース配線と電気的に接続されたスイッチング素子と、前記スイッチング素子を介して前記ゲート配線および前記ソース配線と接続された画素電極と、前記配線基板側予備配線と電気的に接続されたパネル側予備配線とをさらに有しており、
前記パネル側予備配線は、前記ソース配線の両端部近傍において、絶縁膜を介して前記ソース配線と交差する、請求項１から５のいずれか１項に記載の表示装置。
【請求項７】
前記表示パネルは、液晶パネルである、請求項１から６のいずれか１項に記載の表示装置。
【請求項８】
絶縁基板と、前記絶縁基板上に設けられ、信号が伝送される信号配線群と、一または二以上の回路素子とを有する配線基板であって、
前記信号配線群は、前記回路素子と電気的に接続された素子接続配線と、前記回路素子と電気的に接続されていない素子非接続配線とから構成される、配線基板。
【請求項９】
表示パネルの周縁部に沿って配置される配線基板であって、
前記信号は、前記表示パネルを駆動させるための駆動信号である、請求項８に記載の配線基板。
【請求項１０】
前記信号配線群を構成する複数の信号配線は、それぞれ互いに交差することなく前記絶縁基板上に設けられ、
前記素子非接続配線は、平面視において略Ｕ字状をなして、両端部が前記絶縁基板の周縁部に配置され、
　前記素子接続配線の少なくとも一方端部は、前記絶縁基板の前記周縁部であって、かつ前記素子非接続配線の両端部よりも内側または外側に配置され、あるいは前記素子接続配線は、複数の前記素子非接続配線に挟まれて配置されている、請求項８または９に記載の配線基板。
【請求項１１】
少なくとも一方端部側の前記素子非接続配線は、前記一方端部が他方端部から離反する方向に、平面視においてさらに略Ｕ字状をなしている、請求項１０に記載の配線基板。
【請求項１２】
請求項１から７のいずれか１項に記載の表示装置が備える、配線基板。
【請求項１３】
請求項１から７のいずれか１項に記載の表示装置が備える、表示パネル。
【発明の詳細な説明】
【技術分野】
【０００１】
本発明は、表示装置に関する。本発明の表示装置は、例えば液晶表示装置、有機または無機EL(Electro Luminescence)表示装置、プラズマ表示装置などに適用することができる。
【背景技術】
【０００２】
従来、液晶表示装置における液晶パネルと液晶駆動用ICとの実装構造として、TCP(Tape Carrier Package) 方式が主に採用されている。図１７Ａは、TCP 方式の液晶表示装置を模式的に示す斜視図である。このTCP 方式の液晶表示装置500 は、液晶パネル501 の周縁に、液晶パネル501 のゲート信号配線またはソース信号線に信号を供給するためのゲートTCP502またはソースTCP503と、各ゲートTCP502またはソースTCP503に外部信号を供給するための外部回路基板504 とを備える。
【０００３】
図１７Ｂは、ゲートTCP502またはソースTCP503を模式的に示す斜視図である。各ゲートTCP502またはソースTCP503は、フレキシブル基材506 上に、液晶駆動用IC505 と、この液晶駆動用IC505 に画像データ信号、IC駆動用電源電圧や対向電極駆動用電源電圧等の外部信号を供給するための信号入力配線507 と、液晶駆動用IC505 から出力された信号を液晶パネル501 へ供給するための信号出力配線508 とを備える。
【０００４】
上記各ゲートTCP502またはソースTCP503の信号入力配線507 は、液晶パネル501 の外部にあるPWB(Printed Wiring Board) からなる外部回路基板504 上の端子と電気的に接続されており、外部回路基板504 上の端子から外部信号を液晶駆動用IC505 に導入している。
【０００５】
図１８は、TCP 方式の液晶表示装置における信号入力を示す図である。TCP 方式の液晶表示装置500 では、信号が外部回路基板504 から例えば各ソースTCP503へ直接個別に入力されるので、外部回路基板504 上では非常に多くの配線が必要となる。したがって、外部回路基板504 を多層構造とする等の工夫が必要であり、製造工程の複雑化、コストアップ、信頼性の低下等の不具合が生じている。
【０００６】
そこで、従来のTCP 方式に対し、近年では、信号を一つのTCP へ一旦入力し、入力された信号を隣接するTCP へ順次伝播させていく、所謂「信号伝播方式」が導入されてきている。この方式については、例えば、特許文献１、特許文献２、特許文献３、特許文献４および特許文献５等に開示されている。
【０００７】
図１９を参照しながら、信号伝播方式を説明する。図１９は、信号伝播方式の液晶表示装置における信号入力を示す図である。TCP601上には、液晶駆動用IC602 と、液晶駆動用IC602 に外部信号を入力するための信号入力配線603 と、液晶駆動用IC602 から液晶パネル604 へ映像信号を供給するための信号出力配線605 と、隣接する各TCP601に液晶駆動信号を出力するための中継配線606 とが形成されている。
【０００８】
上記の液晶表示装置では、まず、外部回路基板607 からの外部信号が入力配線603 を介して、第１段の液晶駆動用IC602aに供給されると、この外部信号に応じた映像信号が第１段の液晶駆動用IC602aおよび信号出力配線605 を経て液晶パネル604 に送られる。他方、第１段の液晶駆動用IC602aに入力された外部信号のうちの一部が第１段の液晶駆動用IC602aから中継配線606 へ導入され、液晶パネル604 上の接続配線608 を介して、隣接する第２段のTCP601b 上の信号入力配線603 に供給される。
【０００９】
したがって、外部回路基板607 から、一旦、信号が第１段のTCP601a へ入力されると、その一部がTCP601a の液晶駆動用IC602aを経て、液晶パネル604 の絵素へ出力される。その他の信号は、各TCP601上の中継配線606 および液晶パネル604 上の接続配線608 を介して、隣接するTCP601b,601c,601d へ順次伝播される。
【００１０】
中継配線606 による信号伝播方式の液晶表示装置では、中継配線606 を用いない方式に比べて、外部回路基板607 から各TCP601a,601b,601c,601dへの入力に必要な配線数を大幅に削減することが可能となる。配線数が多い外部回路基板607 では、通常、多層にする等の工夫がなされている。したがって、配線数が少ないということは、その層の数を減らすことができるので、外部回路基板607 のコストダウンを図ることが可能となる。
【００１１】
【特許文献１】特開平4-313731号公報
【００１２】
【特許文献２】実開平3-114820号公報
【００１３】
【特許文献３】特開平10-214858 号公報
【００１４】
【特許文献４】特開2001-056481 号公報
【００１５】
【特許文献５】特開2002-287655 号公報
【発明の開示】
【発明が解決しようとする課題】
【００１６】
しかし、特許文献１〜５等に開示されている、信号伝播方式の配線構造では、外部から供給される画像信号が、同一の配線にて各TCP の液晶駆動用ICへ入力される。この配線構造では、液晶駆動用ICへ入力する画像信号をTCP の枚数分だけ足し合わせた合成信号が、同一の配線に入力される。したがって、必然的にクロック周波数が増大するので、EMI(Electro Magnetic Interference)に対して悪影響を及ぼす。よって、この配線構造は、高精彩機種になればなるほど導入が困難となる。
【課題を解決するための手段】
【００１７】
　本発明の目的の一つは、信号のクロック周波数の増大を抑えることである。
【００１８】
本発明の表示装置は、表示パネルと、前記表示パネルの周縁部に沿って配置される複数の配線基板とを備える表示装置であって、前記表示パネルは、前記複数の配線基板のうち互いに隣接する第１配線基板および第２配線基板を電気的に接続するパネル側接続配線を有し、前記複数の配線基板は、絶縁基板と、前記絶縁基板上に設けられた基板側配線群と、前記表示パネルを駆動させるための一または二以上の駆動用回路素子とをそれぞれ有しており、前記基板側配線群は、前記駆動用回路素子と電気的に接続された素子接続配線と、前記駆動用回路素子と電気的に接続されていない素子非接続配線とから構成され、前記パネル側接続配線は、前記第１配線基板の前記素子接続配線と、前記第２配線基板の前記素子非接続配線とが電気的に接続されるように形成されている。
【００１９】
前記複数の配線基板は、それぞれの前記基板側配線群が同一の配線パターンを有することが望ましい。
【００２０】
前記基板側配線群を構成する複数の配線は、それぞれ互いに交差することなく前記絶縁基板上に設けられ、前記素子非接続配線は、平面視において略Ｕ字状をなして、両端部が前記絶縁基板の周縁部に形成され、前記素子接続配線の少なくとも一方端部は、前記絶縁基板の前記周縁部であって、かつ前記素子非接続配線の両端部よりも内側または外側に形成され、あるいは前記素子接続配線は、複数の前記素子非接続配線に挟まれて形成されていることが望ましい。
【００２１】
少なくとも一方端部側の前記素子非接続配線は、前記一方端部が他方端部から離反する方向に、平面視においてさらに略Ｕ字状をなしていることが望ましい。
【００２２】
前記複数の配線基板が有する駆動用回路素子の総数をｎ個（但し、ｎは２以上の自然数である。）とすると、前記複数の配線基板のそれぞれは、前記基板側配線群を構成し、信号の伝送に関与する配線の数がｎ組またはｎ＋１組であることが望ましい。なお、「信号の伝送に関与する配線」とは、複数の配線基板が有する複数の駆動用回路素子のいずれかに入力される信号、あるいは出力される信号が伝送する配線をいう。
【００２３】
前記配線基板は、前記駆動用回路素子と電気的に接続された基板側予備配線をさらに有し、前記表示パネルは、ゲート配線と、前記ゲート配線と交差するソース配線と、前記ゲート配線および前記ソース配線と電気的に接続されたスイッチング素子と、前記スイッチング素子を介して前記ゲート配線および前記ソース配線と接続された画素電極と、前記配線基板側予備配線と電気的に接続されたパネル側予備配線とをさらに有しており、前記パネル側予備配線は、前記ソース配線の両端部近傍において、絶縁膜を介して前記ソース配線と交差していても良い。
【００２４】
前記表示パネルは、液晶パネルであっても良い。
【００２５】
本発明の第１の局面による配線基板は、絶縁基板と、前記絶縁基板上に設けられ、信号が伝送される信号配線群と、一または二以上の回路素子とを有する配線基板であって、前記信号配線群は、前記回路素子と電気的に接続された素子接続配線と、前記回路素子と電気的に接続されていない素子非接続配線とから構成される。
【００２６】
本発明の第１の局面による配線基板は、表示パネルの周縁部に沿って配置される配線基板であって、前記信号は、前記表示パネルを駆動させるための駆動信号であっても良い。なお、前記信号は、電源信号を含まない。
【００２７】
前記信号配線群を構成する複数の信号配線は、それぞれ互いに交差することなく前記絶縁基板上に設けられ、前記素子非接続配線は、平面視において略Ｕ字状をなして、両端部が前記絶縁基板の周縁部に配置され、前記素子接続配線の少なくとも一方端部は、前記絶縁基板の前記周縁部であって、かつ前記素子非接続配線の両端部よりも内側または外側に配置され、あるいは前記素子接続配線は、複数の前記素子非接続配線に挟まれて配置されていることが望ましい。
【００２８】
少なくとも一方端部側の前記素子非接続配線は、前記一方端部が他方端部から離反する方向に、平面視においてさらに略Ｕ字状をなしていることが望ましい。
【００２９】
本発明の第２の局面による配線基板は、本発明の表示装置が備える配線基板である。本発明の表示パネルは、本発明の表示装置が備える表示パネルである。
【発明の効果】
【００３０】
本発明の表示装置によれば、駆動用回路素子へ入力される信号または駆動用回路素子から出力される信号を別個の配線にて入力または出力することができるので、信号のクロック周波数の増大が抑えられる。
【発明を実施するための最良の形態】
【００３１】
以下、図面を参照しながら本発明による実施形態を説明する。以下の実施形態では、液晶表示装置を例にして説明するが、本発明の表示装置は、ＰＤＰ(Plasma Display Panel)、有機または無機ＥＬ(Electro Luminescence)表示装置、エレクトロクロミック表示装置などにも適用することができる。なお、以下の実施形態に示す液晶表示装置は、透過型、反射型、反射透過両用型のいずれのタイプにも適用することができる。
【００３２】
まず、液晶表示装置の大まかな全体構造について、図１を参照しながら説明する。図１は、液晶表示装置の全体構造を模式的に示す平面図である。なお、図１中の楕円で囲まれた部分については、実施形態１〜８にて詳細に説明する。
【００３３】
液晶表示装置は、液晶パネル100 と、液晶パネル100 の周縁部６に沿ってそれぞれ配置された複数のソースCOF(Chip on Film) ３および複数のゲートCOF ４と、信号入力用FPC(Flexible Print Circuit) ５とを備える。なお、図１では、ソースCOF ３が３枚、ゲートCOF ４が２枚、信号入力用FPC ５が１枚であるが、これらの枚数について制限はない。
【００３４】
液晶パネル100 は、TFT(Thin Film Transistor) 基板１と、TFT 基板１に対向配置されるカラーフィルタ基板２と、両基板１，２間に介在する液晶層（不図示）とを有する。液晶パネル100 は、0.4 〜0.7mm 程度の厚みである。
【００３５】
TFT 基板１は、それぞれが互いに平行で行方向に延びる複数のゲート配線と、複数のゲート配線とそれぞれ交差し、かつそれぞれが互いに平行で列方向に延びる複数のソース配線と、ゲート配線およびソース配線と電気的に接続され、マトリクス状に配置されたTFT と、TFT を介してゲート配線およびソース配線と接続された画素電極とを有する。TFT 基板１の周縁部６には、ソースCOF ３、ゲートCOF ４および信号入力用FPC ５をそれぞれ接続するための端子が形成されている。
【００３６】
カラーフィルタ基板２は、赤、緑、青の各色のカラーフィルタと、カラーフィルタを覆う共通電極とを有する。TFT 基板１およびカラーフィルタ基板２それぞれの液晶層側には、配向膜が形成され、ラビング処理が施されている。
【００３７】
ソースCOF ３およびゲートCOF ４は、ガラスやポリイミド系樹脂等からなる25〜40μm 厚の薄膜基材と、薄膜基材上に形成された8 〜12μm 厚の銅箔等の配線パターンとを有する。配線パターンは、複数本の配線から構成され、プレーティング法またはキャスティング法により形成される。液晶パネル100 の周縁部６と接続する領域を除いて、ポリイミド等の材質からなる25〜50μm 厚のソルダーレジストが配線パターン上に積層され、配線パターンが絶縁されている。ソースCOF ３およびゲートCOF ４の中央部付近には、液晶駆動用IC８がそれぞれ搭載されている。ソルダーレジストには、液晶駆動用IC８の端子と接続する箇所に開口が形成されている。これにより、配線パターンを構成する複数本の配線のうちのいくつかの配線と、液晶駆動用IC８の端子とが電気的に接続される。なお、ソースCOF ３およびゲートCOF ４には、液晶駆動用IC８だけでなく、その他各種部品が搭載されることがある。
【００３８】
ソースCOF ３、ゲートCOF ４および信号入力用FPC ５は、液晶パネル100 の周縁部６に形成された端子（以下、液晶パネル端子ともいう。）と、異方性導電膜(ACF：Anisotropic Conductive Film)を介して、熱圧着により接続されている。ACF は、絶縁性の接着剤中に、数千〜数万個の導電粒子や絶縁粒子等を分散させて形成されている。ACF は、液晶パネル端子と、ソースCOF ３、ゲートCOF ４および信号入力用FPC ５の各端子とを接着剤により接着する役割を果たすとともに、導電粒子により電気的に接続する役割を果たす。ACF 中の絶縁粒子は、連結した導電粒子により隣接する端子スペース間が短絡されることを防止する役割を果たす。ACF の厚みは10〜50μm の範囲内であることが望ましく、特に20μm 以下程度が好ましい。ACF の幅は１〜３mmの範囲内であることが好ましい。
【００３９】
上記導電粒子としては、Niなどの金属粒子、Niなどの金属粒子にAuメッキを施した金属粒子、カーボン粒子、熱可塑性樹脂粒子（プラスティック粒子）にAuメッキやNi/Au メッキ（下地にNi層を形成してからAuメッキしたもの）等のメッキを施したメッキ熱可塑性樹脂粒子、ITO(Indium Tin Oxide) 粒子などの透明導電粒子、Niなどの金属粒子をポリウレタンに混合させた導電粒子複合プラスティックなどを使用することができる。これらのうち導電粒子としては、メッキ熱可塑性樹脂粒子が特に好ましい。上記絶縁粒子としては、主に熱可塑性樹脂粒子（プラスティック粒子) が用いられている。これらの導電粒子や絶縁粒子の粒径は2 〜12μm の範囲内で、メッキ厚は0.1 μm 前後であることが好ましい。また、フィルム状のACF 以外に、ペースト状のACP(Anisotropic Conductive Paste) もあるが、取り扱いの容易さ等からフィルム状のACF のほうが望ましい。
【００４０】
次に、ACF による接続方法について説明する。まず、液晶パネル100 の周縁部６に存在する電極端子を覆うように未硬化のACF を貼り付ける。その後ソースCOF ３、ゲートCOF ４および信号入力用FPC ５にそれぞれ形成された、液晶パネル100 の電極端子に接続するための端子部が、液晶パネル100 の電極端子上に配置されるように、ソースCOF ３、ゲートCOF ４および信号入力用FPC ５を液晶パネル100 の周縁部６に搭載する。図示しない加熱したボンディングツールを2 〜5Mpaの圧力にて10〜20秒間、液晶パネル100 に搭載したソースCOF ３、ゲートCOF ４および信号入力用FPC ５の上部からACF 部（電極端子部) を押圧することにより、ACF を硬化させ接続する。このときのボンディングツールの加熱温度は、押圧時にACF 部の最終到達温度が170 〜220 ℃となるように、250 〜350 ℃程度に設定する。押圧部のボンディングツール幅は、ACF の幅と同程度の１〜３mm程度が望ましい。また、接続時はソース側、ゲート側をそれぞれ一括して接続することが望ましいが、ソースCOF ３、ゲートCOF ４および信号入力用FPC ５を１つずつ接続してもよい。
【００４１】
次に、液晶表示装置上を伝播する信号の伝達経路について説明する。図１中の実線は、ＲＧＢ信号等の画像信号を各液晶駆動用IC８へ伝送する画像信号配線22であり、矢印は伝送方向である。画像信号は、信号入力用FPC ５から供給され、液晶パネル100 の周縁部６にある画像信号配線、ソースCOF ３およびゲートCOF ４内の画像信号配線を介して伝送され、各COF ３，４に搭載されている液晶駆動用IC８へ入力される。図１では、記載の簡略化のために、１つの画像信号配線22にて各COF ３，４へ入力する画像信号をまとめて伝送しているように示しているが、後述するように、各COF ３，４へ入力する画像信号をそれぞれ別個の配線にて伝送している。
【００４２】
図１中の点線23は、予備配線信号を液晶パネル100 の対辺側へ伝送する予備配線23であり、矢印は伝送方向である。ここで予備配線23について説明する。予備配線とは、ソースCOF ３から２点鎖線で示す画像信号出力配線７へ出力された画像信号の伝送が、何らかの要因による図１中の×印での画像信号出力配線７の断線によって、妨げられた際に使用するものである。なお、図１では、画像信号出力配線７は１本しか記載されていないが、ソースCOF ３の液晶駆動用IC８から出力された画像信号を液晶パネル100 のTFT へ導くための多数の画像信号出力配線が、液晶パネル100 の内部を通って対辺側まで延びている。
【００４３】
液晶パネル100 周縁のソースCOF ３の両端部近傍において、画像信号出力配線７をまたぐように、１〜２本の配線が絶縁膜を介して形成されている。この配線は、液晶パネル100 の周辺を引き回すことにより形成されている。この配線を予備配線と呼ぶ。
【００４４】
上述した×印で画像信号の伝送が妨げられた際に、断線している画像信号出力配線７と予備配線23との交点（ソースCOF ３側と対辺側の２ヶ所) にレーザーを照射して、絶縁膜を破壊する。これにより、画像信号を対辺側から入力するもう一つの経路が形成される。この新たな経路により、画像信号を対辺側から×印のところまで導くことが可能となり、パネル側の不良を修正することができる。言い換えれば、画像信号出力配線７の両端部において、画像信号出力配線７と予備配線23とが導通され、画像信号をソースCOF ３側からだけでなく、対辺側からも入力するもう一つの経路が形成される。このときの予備配線23を流れる信号を予備配線信号と呼ぶ。予備配線23の他にも、電源配線等があるが、本発明とは直接関係しないので、説明を省略する。
【００４５】
（実施形態１）
図２は、実施形態１の配線構造を説明するための概略図であり、図１中の楕円で囲まれた部分に相当する。なお、ソースCOF ３の液晶駆動用IC８は、配線を説明するために、透視させている。また、説明の簡略化のために、画像信号を伝送する配線のみを記載しており、共通信号配線（以下、COM 配線ともいう。）、電源／ＧＮＤ（グラウンド）配線、液晶駆動用ICからの出力配線、予備配線等のその他の配線は、記載を省略する。さらに、同族的な構成要素を総括的に表すために、参照符号の英字を省略して、参照符号の数字のみを表記することがある。例えば、ソースCOF3a,3b,3c を総括的にソースCOF ３と表記することがある。
【００４６】
図２には、ソースCOF ３、ソースCOF ３に搭載されている液晶駆動用IC８、信号入力用FPC ５（図１参照）から入力された画像信号を各COF ３へ伝送するための伝送配線12、互いに隣接するソースCOF ３間で画像信号を伝送するためのパネル側伝送配線13、画像信号を液晶駆動用IC８へ入力し、あるいは隣接するソースCOF ３へ伝送するためのCOF 側配線群10が記載されている。画像信号は、画像信号入力ポイント９にて液晶駆動用IC８へ入力される。伝送配線12およびパネル側伝送配線13とCOF 側配線群10とは、ACF を介して接続部14にて接続されている。分かり易くするために、パネル側伝送配線13を太線、COF 側配線群10を細線で示している。
【００４７】
ソースCOF ３側の配線構造について説明する。各ソースCOF3a,3b,3c に入力される画像信号をそれぞれ個別の配線で伝送し、液晶駆動用IC８に入力するために、画像信号を伝送するソースCOF ３が有する液晶駆動用IC８の個数に応じた数の配線を形成する必要がある。通常、各液晶駆動用IC８につき４つの画像信号が入力されるので、各液晶駆動用IC８につき４本の画像信号線が必要になる。図２では、４本の画像信号線を１つの組にして１本で表示している。本実施形態では、３枚のソースCOF3a,3b,3c を画像信号が伝送するので、１枚のCOF につき３組分の配線が必要となる。３組分の配線は、それぞれ互いに交差することなく、平面視において略Ｕ字状をなして絶縁基板上に設けられている。これら配線は、パネル側配線12,13 とACF を介して接続させるために、それぞれの両端部が絶縁基板の周縁部３１に配置されている。これら配線のうち内側（上側）配線を10a 、中央配線を10b 、外側（下側）配線を10c と表記する。
【００４８】
３組の配線10a,10b,10c のうちの１組の配線、言い換えれば３ラインの内の１ラインは、液晶駆動用IC８へ入力する必要があるので、１組の配線（１ライン）だけ液晶駆動用IC８へ入力できるようにしておく。図２に示す左側のソースCOF3a では、内側配線10a が画像信号入力ポイント９で液晶駆動用IC８と電気的に接続されている。液晶駆動用IC８と電気的に接続された配線を素子接続配線と呼ぶ。一方、３組の配線10a,10b,10c のうちの２組の配線10b,10c は、液晶駆動用IC８と電気的に接続されておらず、伝送配線12からの画像信号を隣接するソースCOF3b へ伝送する。これらの配線10b,10c を素子非接続配線と呼ぶ。なお、図２中の矢印は画像信号が進む向きを示しており、矢印のない配線には画像信号が流れていないことを示している。
【００４９】
次に、パネル側の配線構造について説明する。各ソースCOF3a,3b,3c では、画像信号を液晶駆動用IC８へ入力する配線10a が内側（上側）にある。伝送配線12には、上の配線12から順に、左側のCOF3a 、中央のCOF3b 、右側のCOF3c へそれぞれ入力するための画像信号を伝送する。伝送配線12は、上の配線12から順に、内側（上側）配線10a,中央配線10b,外側（下側）配線10c に接続されている。上側の伝送配線12から入力された画像信号は、左側のCOF3a の液晶駆動用IC８に入力される。一方、中央および下側の伝送配線12から入力された画像信号は、左側のCOF3a の液晶駆動用IC８に入力されることなく、パネル側伝送配線13へ伝送される。
【００５０】
左側のCOF3a と中央のCOF3b とを接続するパネル側伝送配線13は、COF3a の中央配線10b および下側配線10c が、それぞれCOF3b の上側配線10a および中央配線10b と電気的に接続されるように引き回されている。COF3a とCOF3b とを接続する伝送配線13は、２組の配線から構成され、それぞれが交差しないように形成されている。上側の伝送配線13から入力された画像信号は、中央のCOF3b の液晶駆動用IC８に入力される。一方、下側の伝送配線13から入力された画像信号は、COF3b の液晶駆動用IC８に入力されることなく、パネル側伝送配線13へ伝送される。
【００５１】
中央のCOF3b と右側のCOF3c とを接続するパネル側伝送配線13は、COF3b の中央配線10b がCOF3c の上側配線10a と電気的に接続されるように形成されている。COF3b とCOF3c とを接続する伝送配線13は１組であり、伝送配線13から入力された画像信号は、右側のCOF3c の液晶駆動用IC８に入力される。なお、中央のCOF3b の下側配線10c 、右側のCOF3c の中央配線10b および下側配線10c は、伝送配線13に接続されていない。
【００５２】
このように、本実施形態では、隣接するソースCOF の間で、両ソースCOF の配線が１組分（１ライン分）内側にずれて接続されるように、パネル側伝送配線13が形成されている。具体的には、COF3a,3bの各中央配線10b は、それぞれ隣接するCOF3b,3cの内側（右側）へ１組分ずれた上側配線10a に接続されている。また、COF3a の下側配線10c は、隣接するCOF3b の内側（右側）へ１組分ずれた中央配線10b に接続されている。これにより、個別のCOF に対し個別の画像信号を入力する必要がある際にも、同一の配線パターンを有するCOF にて実施することが可能となる。仮に、パネル側伝送配線13をずらさずに、隣接する両ソースCOF の配線をつないだ場合、それぞれが異なる入力ポイントをもつ液晶駆動用ICを搭載した複数のCOF を使用する必要がある。すなわち、本実施形態によれば、各COF の液晶駆動用ICに対して、別個の配線にて画像信号を転送入力することを、同一の配線構造のCOF にて実現することができる。
【００５３】
本実施形態では、液晶駆動用IC８と電気的に接続された配線（素子接続配線）10a が、液晶駆動用IC８と電気的に接続されていない配線（素子非接続配線）10b,10c よりも内側に形成されている。これにより、左側のCOF3a と中央のCOF3b とを配線が１組分（１ライン分）内側にずれるように接続する場合に、２組の伝送配線13が交差しないように形成することができる。したがって、伝送配線13が交差する場合に比して、伝送配線13の構造を簡略化することができる。
【００５４】
なお、上側配線10a は、入力ポイント９以降（図２では、入力ポイント９よりも右側）の配線部分を使用しないので、この部分を削除してもよい。また、隣接するソースCOF ３の下側配線10c 同士を接続しても良い。例えば、左側のCOF3a の下側配線10c と中央のCOF3b の中央配線10b とを接続する代わりに、左側のCOF3a の下側配線10c と中央のCOF3b の下側配線10c とをずらさずに接続しても良い。この場合、中央のCOF3b の下側配線10c と右側のCOF3c の上側配線10a とが接続されるように、伝送配線13を２組分（２ライン分）内側にずらす。
【００５５】
また、本実施形態では、液晶パネル100 の左側に信号入力用FPC ５が存在し、左側から画像信号が入力される場合について説明した。しかし、信号入力用FPC ５が液晶パネル100 の右側に存在し、右側から画像信号を入力する場合においても、パネル側伝送配線13のずらし方を変更するだけで、左側から画像信号を入力するときに使用するCOF と同一のCOF で対応することができる。
【００５６】
本実施形態によれば、各COF の液晶駆動用IC８に対して、別個の配線にて画像信号を入力することができる。したがって、従来の信号伝播方式の配線構造において、液晶駆動用IC８に入力される画像信号のクロック周波数が増大することを抑えることができる。
【００５７】
（実施形態２）
図３は、実施形態２の配線構造を説明するための概略図であり、図１中の楕円で囲まれた部分に相当する。なお、ソースCOF ３の液晶駆動用IC８は、配線を説明するために、透視させている。また、説明の簡略化のために、予備配線信号を伝送する配線およびCOM 配線のみを記載しており、電源／ＧＮＤ配線、液晶駆動用ICからの出力配線、画像信号配線等のその他の配線は、記載を省略する。以下の図面においては、実施形態１の配線構造の構成要素と実質的に同じ機能を有する構成要素を同じ参照符号で示し、その説明を省略する。
【００５８】
図３には、ソースCOF ３、ソースCOF ３に搭載されている液晶駆動用IC８、互いに隣接するソースCOF ３間で予備配線信号を伝送するためのパネル側伝送配線13、予備配線信号を隣接するソースCOF ３へ伝送するためのCOF 側配線群10、液晶駆動用IC８から予備配線信号を出力するための予備配線信号出力ポイント16、予備配線信号を液晶駆動用IC８へ入力するための予備配線信号入力ポイント17、予備配線信号を取り出して対辺側へ伝送するためのパネル側予備配線18、パネル側予備配線18と入力ポイント17とを結ぶCOF 側予備配線19、パネル側COM 配線20、COF 側COM 配線21が記載されている。パネル側予備配線18は、右側のソースCOF3a の右側から液晶パネルの対辺側まで引き回されている。
【００５９】
液晶パネル100 とソースCOF ３とは、ACF を介して、接続部14にて接続されている。これにより、パネル側伝送配線13とCOF 側配線群10との接続、パネル側予備配線18とCOF 側予備配線19との接続、パネル側COM 配線20とCOF 側COM 配線21との接続が、それぞれなされる。予備配線信号入力ポイント17から液晶駆動用IC８へ入力された予備配線信号は、液晶駆動用IC８のバッファを介して、予備配線信号出力ポイント16から出力される。分かり易くするため、パネル側伝送配線13を太点線、COF 側配線群10を細点線で示す。COM 配線についても、パネル側COM 配線を太一点鎖線、COF 側COM 配線を細一点鎖線で示す。なお、図３では簡略化のために、通常各COF につき２本（１本のときも多い) ある予備配線信号線を１つの組にして１本で表示している。図３中の矢印は信号が進む向きを示しており、矢印のない配線には信号が流れていないことを示している。
【００６０】
ソースCOF ３側の配線構造について説明する。本実施形態では、ソースCOF が３枚あるので、１枚のCOF につき３組の予備配線信号を流す必要がある。３組分の配線は、それぞれ互いに交差することなく、平面視において略Ｕ字状をなして絶縁基板上に設けられている。これら配線は、パネル側配線13とACF を介して接続させるために、それぞれの両端部が絶縁基板の周縁部３１に配置されている。これら配線のうち内側配線を10a 、中央配線を10b 、外側配線を10c と表記する。このうちの１組には、パネル側から流れてくる予備配線信号を液晶駆動用IC８のバッファを介して取り出す予備配線信号出力ポイント16を設けておく。本実施形態では、内側配線10a に出力ポイント16を設ける。ここで、液晶駆動用IC８のバッファを介しているのは、COF 側予備配線19と内側配線10a との間には、COF 側COM 配線21が引き回されているので、ジャンパーチップ等を用いて、この配線21をまたがなくても済むようにするためである。
【００６１】
次に、パネル側の配線構造について説明する。予備配線信号を図３の左から右へ転送していくので、隣接COF 間をパネル側伝送配線13でつなぐときに、左側のCOF3a の予備配線信号が出力されるCOF 側伝送配線10a と、中央のCOF3b の予備配線信号出力ポイントのないCOF 側伝送配線10b とをつなぐように、隣接するCOF 間の配線の位置を１組分外側（左側）へずらす。さらに、予備配線信号が流れるCOF 側伝送配線10b を右側のCOF3c のCOF 側伝送配線10c へつなぐために、COF 側伝送配線の位置が１組分外側（左側）へずれるように、パネル側伝送配線13を引き回す。このようにして、各COF3a,3b,3c の予備配線信号は、右側COF3c の右側で接続されているパネル側予備配線18へ伝送される。
【００６２】
このように、本実施形態では、隣接するソースCOF 間の配線の位置が１組分（１ライン分）外側へずれるように、パネル側伝送配線13を引き回す。これにより、同一の配線パターンを有するCOF を用いて、隣接するソースCOF 間をつなぐことができる。仮に、パネル側伝送配線13をずらさずに、両ソースCOF の配線をつないだ場合、言い換えれば、隣接するCOF 間の同じ配線同士をつなぐ配線構造では、予備配線信号出力ポイントの異なる複数の種類のCOF が必要となる。すなわち、本実施形態によれば、各COF の液晶駆動用ICに対して、別個の配線にて予備配線信号を出力転送することを、同一の配線構造のCOF にて実現することができる。
【００６３】
なお、図３の予備配線信号が出力されるCOF 側伝送配線10a は、予備配線信号出力ポイント16よりも左側が不要であるので、この部分を削除しても構わない。また、本実施形態では、隣接するCOF 間でパネル側伝送配線13を１組分ずつずらして引き回しているが、左側COF3a の内側配線10a を中央COF3b の外側配線10c へ２組分ずらして引き回しても良い。この場合、中央COF3b の内側配線10a を右側COF3c の中央配線10b へ１組分ずらして引き回し、中央COF3b の外側配線10c と右側COF3c の外側配線10c とをずらさずに引き回す。
【００６４】
本実施形態では、液晶パネル100 の左側から右側へ予備配線信号を伝送する場合について説明した。しかし、右側から左側へ予備配線信号を伝送する場合においても、パネル側伝送配線13のずらし方を変更するだけで、左側から右側へ予備配線信号を伝送するときに使用するCOF と同一のCOF で対応することができる。
【００６５】
（実施形態３）
図４は、実施形態３の配線構造を説明するための概略図であり、図１中の楕円で囲まれた部分に相当する。本実施形態は、実施形態１の応用に該当する。実施形態１では、信号入力用FPC ５が左右どちらか一方にあり、一方からのみ画像信号が入力される。本実施形態では、信号入力用FPC ５が左右の両方にあり、画像信号を２つにわけて、１つのCOF に対し左右両方から入力することができる。
【００６６】
本実施形態のソースCOF ３は、実施形態１のソースCOF ３と比較すると、COF 側伝送配線10c の外側に、画像信号入力ポイント９を持つもう１組のCOF 側伝送配線10d が形成されている点が異なる。また、本実施形態の液晶パネル100 は、図示しない右側の信号入力用FPC からの伝送配線12が形成されている。１組あたりの配線数は、通常４本の画像信号を２つに分けているので、２本である。
【００６７】
ソースCOF ３側の配線構造について説明する。本実施形態では、実施形態１で未使用となっていたCOF 側伝送配線を有効利用する。まず、各ソースCOF3a,3b,3c に対して、実施形態１と同様に３組の配線10a,10b,10c を引き回すとともに、COF 側伝送配線10c の外側に、画像信号入力ポイント9 をもつCOF 側伝送配線10d をもう１組引き回す。但し、本実施形態では、１組につき２配線とする。
【００６８】
右側の信号入力用FPC からの伝送配線12と、右側のソースCOF3c との接続は、右側COF3c の配線10d に右側COF の画像信号、配線10c に中央COF の画像信号、配線10b に左側COF の画像信号が伝送されるように行う。COF 側伝送配線10d と３組のCOF 側伝送配線10a,10b,10c を利用し、実施形態１で説明したときと同様に、パネル側伝送配線13をずらして引き回す。但し、画像信号入力ポイント9 を持つCOF 側伝送配線10d が外側にあるので、隣接するCOF 間の配線の位置が１組ずつ外側へずれるように、パネル側伝送配線13を引き回す。
【００６９】
具体的には、右側のCOF3c と中央のCOF3b とを接続するパネル側伝送配線13は、COF3c の配線10b とCOF3b の配線10c とが電気的に接続されるように、またCOF3c の配線10c とCOF3b の配線10d とが電気的に接続されるように引き回す。同様に、中央のCOF3b と左側のCOF3a とを接続するパネル側伝送配線13は、COF3b の配線10c とCOF3a の配線10d とが電気的に接続されるように引き回す。
【００７０】
このような配線構造によれば、画像信号を２つに分けて、左右同時に入力することができる。また、実施形態１の場合に比して、３組のCOF 側伝送配線10a,10b,10c を有効利用することができるので、１枚のCOF あたりのCOF 側伝送配線数を減少させることができる。具体的には、各COF に入力される画像信号をそれぞれ各COF ごとに個別の配線で伝送するには、６組×２本＝１２本の配線が必要であるが、本実施形態によれば、４組×２本＝８本の配線で足りる。
【００７１】
（実施形態４）
図５は、実施形態４の配線構造を説明するための概略図であり、図１中の楕円で囲まれた部分に相当する。本実施形態は、実施形態２の応用に該当する。実施形態２では、左右どちらか一方へ予備配線信号を伝送する。本実施形態では、予備配線信号を２つにわけて、一方を左側へ、もう一方を右側へ伝送する。
【００７２】
本実施形態のソースCOF ３は、実施形態２のソースCOF ３と比較すると、COF 側伝送配線10c の外側に、予備配線信号出力ポイント16を持つもう１組のCOF 側伝送配線10d が形成されている点が異なる。これにより、右側から左側へも予備配線信号を伝送することができる。１組あたりの配線数は、通常２本の予備配線信号を２つに分けているので、１本である。
【００７３】
ソースCOF ３側の配線構造について説明する。本実施形態では、実施形態２で未使用となっていたCOF 側伝送配線を有効利用する。まず、各ソースCOF3a,3b,3c に対して、実施形態２と同様に３組の配線10a,10b,10c を引き回すとともに、COF 側伝送配線10c の外側に、予備配線信号出力ポイント16を持つCOF 側伝送配線10d をもう１組引き回す。但し、本実施形態では、１組につき１配線とする。本実施形態では、パネル側から流れてくる予備配線信号を液晶駆動用IC８のバッファを介して取り出す予備配線信号出力ポイント16が２つ設けられている。これにより、予備配線信号を左右の２方向へ伝送することができる。
【００７４】
パネル側予備配線18およびパネル側伝送配線13と、ソースCOF3a,3b,3c との接続は、実施形態２と同様である。但し、予備配線信号出力ポイント16を持つCOF 側伝送配線10d が外側にあるので、隣接するCOF 間の配線の位置が１組ずつ内側へずれるように、パネル側伝送配線13を引き回す。具体的には、右側のCOF3c と中央のCOF3b とを接続するパネル側伝送配線13は、COF3c の配線10d がCOF3b の配線10c と接続されるように引き回す。同様に、中央のCOF3b と左側のCOF3a とを接続するパネル側伝送配線13は、COF3b の配線10c および配線10d が、それぞれCOF3a の配線10b および配線10c と電気的に接続されるように引き回す。
【００７５】
このような配線構造によれば、予備配線信号を２つに分けて、左右両端へ伝送することができる。また、実施形態２の場合に比して、３組のCOF 側伝送配線10a,10b,10c を有効利用することができるので、１枚のCOF あたりのCOF 側伝送配線数を減少させることができる。具体的には、通常は６本の配線が必要であるが、本実施形態によれば、４本の配線で足りる。
【００７６】
（実施形態５）
図６は、実施形態５の配線構造を説明するための概略図であり、図１中の楕円で囲まれた部分に相当する。実施形態１では画像信号について、実施形態２では予備配線信号について、別々に配線構造を説明したが、本実施形態はこれら２つを組み合わせた配線構造である。
【００７７】
本実施形態のソースCOF ３は、実施形態２のソースCOF ３と比較すると、COF 側伝送配線10c の外側に、画像信号入力ポイント９を持つもう１組のCOF 側伝送配線10d が形成されている点が異なる。これにより、実施形態１と同様に左側から画像信号を伝送し、かつ実施形態２と同様に左側から右側へ予備配線信号を伝送することができる。
【００７８】
ソースCOF ３側の配線構造について説明する。本実施形態では、実施形態２で未使用となっていたCOF 側伝送配線を有効利用する。まず、各ソースCOF3a,3b,3c に対して、実施形態２と同様に３組の配線10a,10b,10c を引き回すとともに、COF 側伝送配線10c の外側に、画像信号入力ポイント９を持つCOF 側伝送配線10d をもう１組引き回す。但し、本実施形態では、配線10a のみが１組につき２配線であり、他の配線10b,10c,10d は１組につき４配線である。
【００７９】
パネル側予備配線18およびパネル側伝送配線13と、ソースCOF3a,3b,3c との接続は、実施形態２と同様である。但し、画像信号入力ポイント９を持つCOF 側伝送配線10d が外側にある。したがって、画像信号入力ポイント９を持つCOF 側伝送配線10d が内側にある実施形態１の場合に対して、隣接するCOF 間の配線の位置ずれは逆になる。具体的には、左側のCOF3a と中央のCOF3b とを接続するパネル側伝送配線13は、COF3a の配線10b および配線10c が、それぞれCOF3b の配線10c および配線10d と電気的に接続されるように引き回されている。また、中央のCOF3b と右側のCOF3c とを接続するパネル側伝送配線13は、COF3b の配線10c がCOF3c の配線10d と電気的に接続されるように引き回されている。
【００８０】
本実施形態によれば、各COF の液晶駆動用ICに対して、別個の配線にて画像信号を転送入力すること、および予備配線信号を出力転送することを、同一の配線構造のCOF にて実現することができる。本実施形態に示す配線構造によれば、実施形態１および実施形態２のそれぞれの場合におけるCOF 側伝送配線の数を単純に足し合わせた数よりも、COF 側伝送配線の数を減少させることができる。具体的には、実施形態１の配線数が３組×４本＝１２本、実施形態２の配線数が３組×２本＝６本であるので、配線数は１８本となる。本実施形態によれば、１組×２本＋３組×４本＝１４本に減らすことができる。
【００８１】
（実施形態６）
実施形態１〜５を組み合わせたり、応用したりすることで、複数の実施形態が他にも考えられる。図７〜図１１を参照しながら、そのうちの数例を説明する。図７〜図１１は、実施形態１〜５の変形例を示しており、図７は図２に、図８は図３に、図９は図４に、図１０は図５に、図１１は図６にそれぞれ対応している。
【００８２】
実施形態１〜５で説明した各ソースCOF３には、使用しない配線部分が存在する。使用しない配線部分とは、具体的には、画像信号入力ポイント９で画像信号を入力した後の配線部分、予備配線信号出力ポイント16で予備配線信号が出力される前の配線部分である。図７〜図１１は、実施形態１〜５の配線構造のうち不要な配線部分を削除した場合を示している。
【００８３】
図７〜図１１に示すように、不要な配線部分の削除に伴って、COF 側伝送配線10b,10c をCOF 内部で１組分、削除した配線側へずらしている。例えば、図７に示すソースCOF ３において、液晶駆動用IC８よりも左側では、配線10b が内側から２番目であるのに対して、液晶駆動用IC８よりも右側では、配線10b が１組分内側にずれて最も内側になる。図７〜図１１に示すような配線構造にすることで、COF側伝送配線の数を減らすことが可能となる。
【００８４】
（実施形態７）
実施形態１〜６では、１枚のCOF に１つの液晶駆動用IC８が搭載されているタイプのCOF について説明した。しかし、本発明の表示装置は、１枚のCOF 上に複数の液晶駆動用ICが搭載されているマルチチップタイプのCOF へも適用することができる。
【００８５】
　図１２および図１３は、１枚のCOF 上に２つの液晶駆動用ICが搭載されているマルチチップタイプのCOF をそれぞれ模式的に示す概略図である。図１２に示すマルチチップタイプCOF は、図７に示す方式を応用したものであり、図１３に示すマルチチップタイプCOF は、図８に示す方式を応用したものである。
【００８６】
　図１２に示す左側のソースCOF3aおよび右側のソースCOF3bは、絶縁性の薄膜基材上に搭載された２つの液晶駆動用IC8aa,8ab(8ba,8bb)と、４組の配線10a,10b,10c,10dとをそれぞれ有する。４組の配線10a,10b,10c,10dのうち最も内側の第１配線10aは、左側の液晶駆動用IC8aa(8ba)と画像信号入力ポイント9aにて電気的に接続されている。また、内側から２番目の第２配線10bは、左側の液晶駆動用IC8aa(8ba)の下を通って、右側の液晶駆動用IC8ab(8bb)と画像信号入力ポイント9bにて電気的に接続されている。残りの２組の第３および第４配線10c,10d は、平面視において略Ｕ字状をなして、両端部が絶縁基板の周縁部に形成されている。すなわち、４組の配線10a,10b,10c,10dのうち２組の配線10a,10b が素子接続配線であり、残りの２組の配線10c,10d が素子非接続配線である。
【００８７】
　パネル側の配線構造について説明する。４組の伝送配線12a,12b,12c,12d は、上側の第１配線12ａから順に、第１配線10a 、第２配線10b 、第３配線10c および第４配線10d に接続されている。４組の伝送配線12a,12b,12c,12d には、左側のCOF3a の左側の液晶駆動用IC８aa、右側の液晶駆動用IC８ab、右側のCOF3bの左側の液晶駆動用IC８ba、右側の液晶駆動用IC８bbへそれぞれ入力するための画像信号を伝送する。第１の伝送配線12a から入力された画像信号は、左側の液晶駆動用IC８aaに入力され、第２の伝送配線12b から入力された画像信号は、右側の液晶駆動用IC８abに入力される。一方、他の伝送配線12c,12d から入力された画像信号は、左側のCOF3a の液晶駆動用IC8aa,8ab に入力されることなく、パネル側伝送配線13へ伝送される。
【００８８】
左側のCOF3aと右側のCOF3bとを接続するパネル側伝送配線13は、左側のCOF3a の第３配線10c および第４配線10d が、それぞれ右側のCOF3b の第１配線10a および第２配線10b と電気的に接続されるように引き回されている。COF3a とCOF3b とを接続する伝送配線13は、２組の配線から構成され、それぞれが交差しないように形成されている。上側の伝送配線13から入力された画像信号は、左側の液晶駆動用IC８baに入力される。一方、下側の伝送配線13から入力された画像信号は、右側の液晶駆動用IC８bbに入力される。
【００８９】
　次に、図１３に示すマルチチップタイプCOFについて説明する。図１３に示す左側のソースCOF3a および右側のソースCOF3b は、絶縁性の薄膜基材上に搭載された２つの液晶駆動用IC8aa,8ab(8ba,8bb)と、４組の配線10a,10b,10c,10d とをそれぞれ有する。４組の配線10a,10b,10c,10d のうち最も内側の第１配線10aは、右側の液晶駆動用IC8ab(8bb)と予備配線信号出力ポイント16ｂにて電気的に接続されている。また、内側から２番目の第２配線10bは、右側の液晶駆動用IC8ab(8bb)の下を通って、左側の液晶駆動用IC8aa(8ba)と予備配線信号出力ポイント16a にて電気的に接続されている。残りの２組の第３および第４配線10c,10d は、平面視において略Ｕ字状をなして、両端部が絶縁基板の周縁部に形成されている。すなわち、４組の配線10a,10b,10c,10d のうち２組の配線10a,10b が素子接続配線であり、残りの２組の配線10c,10d が素子非接続配線である。
【００９０】
　両ソースCOF3a,3bは、予備配線信号を２つの液晶駆動用IC8aa,8ab(8ba,8bb)へ入力するための予備配線信号入力ポイント17a,17b と、パネル側予備配線18a,18b と入力ポイント17a,17bとを結ぶCOF側予備配線19a,19bと、パネル側COM配線20に接続されるCOF 側COM 配線21とを有する。
【００９１】
　パネル側の配線構造について説明する。左側のソースCOF3a から右側のソースCOF3b へ予備配線信号を転送させるために、隣接COF 間をパネル側伝送配線13a,13b でつなぐ。具体的には、左側のCOF3a の予備配線信号が出力される第１および第２COF 側伝送配線10a,10b と、右側のCOF3b の予備配線信号出力ポイントのない第３および第４COF 側伝送配線10c,10d とをそれぞれつなぐように、２組の伝送配線13a,13b がパネル側に配置されている。
【００９２】
　本実施形態によれば、実施形態１および２と同様に、同一の液晶駆動用IC8aa,8ab,8ba,8bb および同一のソースCOF3a,3bを用いて、別個の外部信号（予備配線信号）を別個の配線で液晶駆動用ICへ入力（または液晶駆動用ICから出力) することが可能となる。また、本実施形態によれば、各COF3a,3bが２つの液晶駆動用IC8aa,8ab(8ba,8bb)を有するので、両COF3a,3bをつなぐパネル側伝送配線13の数を少なくすることができる。一般に、パネル側の配線は、COF側の配線に比べて膜厚が小さいので高抵抗である。 したがって、パネル側の配線数が多いと、接続抵抗が非常に高くなり、 液晶駆動用ICに供給される信号が劣化するので、液晶駆動用IC８が正常に動作しなくなるおそれがある。本実施形態によれば、パネル側伝送配線13の数を少なくすることができるので、実施形態１および２の場合に比べて、配線抵抗をより小さくすることができる。 これにより、 信号入力用FPC５から入力された信号の劣化をより抑えることができ、１つのFPC５によって駆動可能な液晶駆動用IC８の数をより多くすることができる。
【００９３】
　なお、 図１２および１３では、各COF3a,3bに２つの液晶駆動用ICが搭載されている場合を例示したが、１つのCOF3a,3bに搭載される液晶駆動用ICの数は３以上でも良い。
【００９４】
（実施形態８）
　実施形態１〜７のソースCOF３はいずれも、COF側配線群10の接続端子が薄膜基材（絶縁基板）の一方周縁部（図面の上方側周縁部）に配置されている。したがって、隣接するソースCOF３をつなぐ伝送配線13は、平面視において略Ｕ字状に引き回されている。本実施形態のソースCOF３は、隣接するソースCOF３の接続端子が互いに対向するように、平面視において略Ｚ字状に引き回された配線群10を有する。
【００９５】
　図１４および図１５は、それぞれ本実施形態の配線構造を説明するための概略図である。本実施形態は、図２に示す実施形態１の変形例である。図１４および図１５に示す各ソースCOF3a,3b,3cは、一方端子部側の伝送配線群10が平面視において略Ｕ字状に引き回されている。図１４および図１５では、液晶駆動用IC８を基準にして左側の伝送配線10が略Ｕ字状に引き回されている。言い換えれば、各ソースCOF3a,3b,3c は、略Ｚ字状の伝送配線群10を有する。
【００９６】
　各ソースCOF3a,3b,3cは、実施形態１と同様に、パネル側伝送配線13を介して電気的に接続される。図１４では一方のソースCOF をずらすことにより、図１５ではパネル側伝送配線13をずらすことにより、隣接するソースCOFの配線群10が１組分ずれて接続される。具体的には、左側のソースCOF3aの中央配線10bおよび下側配線10cが、それぞれ中央のソースCOF3bの上側配線10a および中央配線10bと電気的に接続される。また、中央のソースCOF3bの中央配線10b が、右側のソースCOF3c の上側配線10a と電気的に接続される。
【００９７】
　図１６は、本実施形態の変形例を説明するための概略図である。図１４および図１５に示す各ソースCOF3a,3b,3c は、一方端子部側の伝送配線群10のみが略Ｕ字状に引き回されているが、図１６に示す右側および左側の両ソースCOF3a,3cは、両方の端子部側の伝送配線群10がそれぞれ略Ｕ字状に引き回されている。右側および左側の両ソースCOF3a,3cに挟まれた中央のソースCOF3bは、接続部14側に略Ｕ字状の引き回し部分がなく、図２に示すソースCOF3と同様の配線構造を有する。但し、 中央のソースCOF3b は、上側配線10aと下側配線10bの２組だけである。したがって、左側のソースCOF3a の中央配線10b および下側配線10c が、それぞれ中央のソースCOF3b の上側配線10a および下側配線10b と電気的に接続され、中央のソースCOF3b の下側配線10b が、右側のソースCOF3c の上側配線10a と電気的に接続される。
【００９８】
　本実施形態およびその変形例によれば、例えばソースCOF3a とこれに隣接するソースCOF3b との接続端子間の距離を短くすることができる。言い換えれば、隣接するCOF3間を短いパネル側伝送配線13で電気的に接続することができる。実施形態７で述べたように、一般に、パネル側の配線は、 COF 側の配線に比べて膜厚が小さいので高抵抗である。 したがって、隣接するCOF３間の電気的な接続に、 長く引き回したパネル側伝送配線13を用いた場合、 隣接するCOF３間の抵抗値が高くなる。これにより、信号入力用FPC ５から液晶駆動用IC８に供給される信号が劣化するので、液晶駆動用IC８が正常に動作しなくなるおそれがある。本実施形態によれば、パネル側伝送配線13を短くすることができるので、実施形態１〜７の場合に比べて、配線抵抗をより小さくすることができる。 これにより、 信号入力用FPC５から入力された信号の劣化をより抑えることができ、１つのFPC ５によって駆動可能な液晶駆動用IC８の数をより多くすることができる。
【００９９】
　なお、上側配線10aは、画像信号入力ポイント９以降（入力ポイント９よりも右側）の配線部分を使用しないので、この部分を削除してもよい。また、本実施形態の各ソースCOF3a,3b,3c は、液晶駆動用IC８を基準にして左側の伝送配線10が略Ｕ字状に引き回されているが、右側の伝送配線10が略Ｕ字状に引き回されていても良い。
【０１００】
（他の実施形態）
実施形態１〜８では、ソースCOF ３について説明したが、ゲートCOF ４が同様の配線構造を有していても良い。また、実施形態１〜８では配線基板としてCOF を用いたが、配線基板としてCOG(Chip on Glass)、TCP を用いても良い。COF は、フェイスアップボンディングまたはフェイスダウンボンディングのいずれの方式で、表示パネルに接続しても良い。
【０１０１】
　実施形態１〜８では、素子接続配線の少なくとも一方端部が、素子非接続配線の両端部よりも内側または外側に配置されている。言い換えれば、最も内側（または外側）の配線が素子接続配線である。しかし、素子接続配線が、複数の素子非接続配線に挟まれて配置されていても良い。言い換えれば、素子接続配線が最も内側および最も外側に配置されていなくても良い。
【０１０２】
実施形態１〜８では、スイッチング素子としてTFT を用いているが、MIM(Metal Insulator Metal)などの２端子素子や他の３端子素子を用いることもできる。また、実施形態１〜８では、表示パネルがアクティブマトリクス駆動する場合について説明したが、パッシブマトリクス駆動する表示パネルに本発明を適用することもできる。
【産業上の利用可能性】
【０１０３】
　本発明の表示装置は、液晶表示装置、有機または無機EL(Electro Luminescence)表示装置、プラズマ表示装置などに適用することができる。また、本発明の配線基板は、ＣＯＦ、ＣＯＧ、ＴＣＰなどに適用することができる。
【図面の簡単な説明】
【０１０４】
【図１】液晶表示装置の全体構造を模式的に示す平面図である。
【図２】実施形態１の配線構造を説明するための概略図である。
【図３】実施形態２の配線構造を説明するための概略図である。
【図４】実施形態３の配線構造を説明するための概略図である。
【図５】実施形態４の配線構造を説明するための概略図である。
【図６】実施形態５の配線構造を説明するための概略図である。
【図７】実施形態１の変形例を説明するための概略図である。
【図８】実施形態２の変形例を説明するための概略図である。
【図９】実施形態３の変形例を説明するための概略図である。
【図１０】実施形態４の変形例を説明するための概略図である。
【図１１】実施形態５の変形例を説明するための概略図である。
【図１２】図７に示す１枚のCOF 上に２つの液晶駆動用ICが搭載されているマルチチップタイプのCOF を模式的に示す概略図である。
【図１３】図８に示す１枚のCOF 上に２つの液晶駆動用ICが搭載されているマルチチップタイプのCOF を模式的に示す概略図である。
【図１４】実施形態８の配線構造を説明するための概略図である。
【図１５】実施形態８の他の配線構造を説明するための概略図である。
【図１６】実施形態８の変形例を説明するための概略図である。
【図１７Ａ】TCP 方式の液晶表示装置を模式的に示す斜視図である。
【図１７Ｂ】ゲートTCP502またはソースTCP503を模式的に示す斜視図である。
【図１８】TCP 方式の液晶表示装置における信号入力を示す図である。
【図１９】信号伝播方式の液晶表示装置における信号入力を示す図である。
【符号の説明】
【０１０５】
100 液晶パネル
１  TFT 基板
２  カラーフィルタ基板
３  ソースCOF
４  ゲートCOF
５  信号入力用FPC
６  液晶パネルの周縁部
７  画像信号出力配線
８  液晶駆動用IC
９  画像信号の液晶駆動用ICへの入力ポイント
10  COF 側配線群
10a,10d 素子接続配線（COF 側伝送配線）
10b,10c 素子非接続配線（COF 側伝送配線）
12  伝送配線
13  パネル側伝送配線
14  液晶パネルとソースCOF 、ゲートCOF 、信号入力用FPC とのACF による接続部
15  予備配線信号出力配線
16  予備配線信号出力ポイント
17  予備配線信号入力ポイント
18  パネル側予備配線
19   COF側予備配線
20  パネル側COM 配線
21   COF側COM 配線
22  画像信号配線
23  予備配線
【図１】
2004133428.tif 000003
【図２】
2004133428.tif 000004
【図３】
2004133428.tif 000005
【図４】
2004133428.tif 000006
【図５】
2004133428.tif 000007
【図６】
2004133428.tif 000008
【図７】
2004133428.tif 000009
【図８】
2004133428.tif 000010
【図９】
2004133428.tif 000011
【図１０】
2004133428.tif 000012
【図１１】
2004133428.tif 000013
【図１２】
2004133428.tif 000014
【図１３】
2004133428.tif 000015
【図１４】
2004133428.tif 000016
【図１５】
2004133428.tif 000017
【図１６】
2004133428.tif 000018
【図１７Ａ】
2004133428.tif 000019
【図１７Ｂ】
2004133428.tif 000020
【図１８】
2004133428.tif 000021
【図１９】
2004133428.tif 000022